(57)【要約】【課題】濡れ表面に使用でき、掃除中に動的変化面を提供する掃除用品。【解決手段】掃除用品は、不透過性のシートと、共通の結合部にてシートに接合されている親水性のギャザーストリップ要素と、を含む。ギャザーストリップ要素は、第１の層と少なくとも１つの外側の層とを含む。第１の層及び少なくとも１つの外側の層は、ストリップを有し、それぞれ共通の結合部によってシートに接合されており、少なくとも１つ（全部ではない）は二次結合部によってシートに接合されている。ストリップは、固定端である近位端と自由端である遠位端とを有し、遠位端のうちの少なくとも１つはループ形状を示す。掃除用品は、共通の結合部によってのみシートに接合されているストリップを有する第１の複数の層と、共通の結合部及び二次結合部の両方によってシートに接合されているストリップを有する第２の複数の層とを有し、第２の複数の層は、第１の複数の層よりも幅が大きい。【選択図】図１
2020000943.tif 000002
【特許請求の範囲】
【請求項１】
標的表面を掃除するための掃除用品であって、
不透過性のシートと、
細長い共通の結合部にて前記シートに接合されている、親水性のギャザーストリップ（２５）要素と、
を含み、
前記ギャザーストリップ要素は、前記シートに近接している第１の層と、前記第１の層に重ね合わされ、前記第１の層の外側に配置された少なくとも１つの外側の層とを含み、
前記第１の層及び前記少なくとも１つの外側の層はストリップを有し、
前記第１の層及び前記少なくとも１つの外側の層は、それぞれ、前記共通の結合部によって前記シートに接合されており、
前記第１の層及び前記少なくとも１つの外側の層のうちの少なくとも１つは、前記共通の結合部と同一でなく、かつ前記共通の結合部から離間した二次結合部によって前記シートに接合され、並びに、前記第１の層及び前記少なくとも１つの外側の層のうちの別の少なくとも１つは、前記二次結合部によって前記シートに接合されておらず、
前記ストリップは、前記シートに接合された固定端である近位端と、前記近位端に対応する自由端である遠位端と、を有し、及び前記第１の層及び前記少なくとも１つの外側の層の前記ストリップの遠位端のうちの少なくとも１つは、折り重ね構成によるループ形状を示し、
前記共通の結合部によってのみ前記シートに接合され、かつ前記二次結合部によっては接合されていないストリップを有する第１の複数の層と、前記共通の結合部及び前記二次結合部の両方によって前記シートに接合されているストリップを有する第２の複数の層とを有し、前記第２の複数の層は、前記第１の複数の層よりも幅が大きく、前記幅は、前記掃除用品の長手方向に延びる仮想中央線を挟んで対向するように配置された、ギャザーストリップの対向する遠位端の間の最も広い地点において測定された長さである、掃除用品。
【請求項２】
トウ繊維及び取り付け用スリーブを含まない、請求項１に記載の掃除用品。
【請求項３】
前記ギャザーストリップ要素は、少なくとも３つの層を有し、前記層は、それぞれ、共通の結合部によって前記シートに接合されており、２つの二次結合部を更に含み、前記第１の層は、前記共通の結合部及び前記二次結合部によって前記シートに接合されており、前記第１の層から最も遠く離れている前記層は、前記二次結合部のいずれによっても前記シートに接合されていない、請求項２に記載の掃除用品。
【請求項４】
前記共通の結合部は、前記二次結合部の間に対称的に配置されている、請求項１〜３のいずれか一項に記載の掃除用品。
【請求項５】
前記二次結合部は、それぞれ、細長であり、スポット状の結合部を含んでいる、請求項１〜４のいずれか一項に記載の掃除用品。
【請求項６】
前記共通の結合部は、細長であり、スポット状の結合部を含んでいる、請求項１〜５のいずれか一項に記載の掃除用品。
【請求項７】
前記掃除用品の長手方向に延びる仮想中央線から前記シートの短手方向にずれた結合部の中間に配置された、共通の結合部を更に含む、請求項１〜６のいずれか一項に記載の掃除用品。
【請求項８】
前記掃除用品は、前記シートの内側または外側に方向付けられた面の上に配置されたコアを更に含み、前記コアは、コア幅を有し、前記ストリップは、前記コア幅より大きいストリップ幅を有し、前記ストリップ幅および前記コア幅は、前記シートの短手方向に測定される長さである、請求項１〜７のいずれか一項に記載の掃除用品。
【請求項９】
少なくとも１つの遠位層を含み、前記遠位層は、前記少なくとも１つの外側の層のうち、前記シートと直接的な接触を伴わずに前記シートに接合された層である、請求項１〜８のいずれか一項に記載の掃除用品。
【請求項１０】
前記掃除用品は、前記シートの内側または外側に方向付けられた面の上に配置されたコアを更に含み、前記少なくとも１つの遠位層は、２つの、前記掃除用品の長手方向に延びる仮想中央線から前記シートの短手方向にずれた、細長い結合部にて結合されており、前記細長い結合部は、それぞれ、前記コアよりも前記仮想中央線から前記シートの短手方向にずれた位置に配置され、かつ前記コアに重ならない、請求項９に記載の掃除用品。
【請求項１１】
前記ギャザーストリップ要素と前記シートとの間に配置された吸収性コアを更に含む、請求項１〜１０のいずれか一項に記載の掃除用品。
【請求項１２】
前記ギャザーストリップ要素は、前記掃除用品の長手方向に延びる仮想中央線から前記シートの短手方向にずれた、第１の結合部及び第２の結合部によって前記シートに接合されており、前記吸収性コアは、前記シートの短手方向において、前記第１の結合部と前記第２の結合部との間に配置され、前記第１の結合部及び前記第２の結合部の少なくとも１つに重ならない、請求項１１に記載の掃除用品。
【請求項１３】
前記掃除用品の前記外側に方向付けられた面上に配置され、かつ、前記結合部の全てよりも前記掃除用品の長手方向に延びる仮想中央線から前記シートの短手方向にずれた位置に配置された、２つの取り付け用ストライプを更に有する、請求項１〜１２のいずれか一項に記載の掃除用品。
【請求項１４】
掃除器具に取り外し可能に取り付けられる、請求項１〜１３のいずれか一項に記載の掃除用品であって、前記掃除器具は、ヘッドと、前記ヘッドに枢動可能に取り付けられたハンドルと、を含み、前記ヘッドは、前記掃除用品を取り外し可能に受容する、掃除用品。
【発明の詳細な説明】
【技術分野】
【０００１】
本発明は、掃除用品に関し、より詳細には、標的表面から洗浄液を吸収する掃除用品に関する。
【背景技術】
【０００２】
様々な掃除用品が、ダスティング及び軽い掃除のために開発されてきた。例えば、乾燥した状態で、或いは研磨及び洗浄組成物によって濡れた状態で使用される、布ウエス及びペーパータオルが、調理台、シャワー、シンク、床などの比較的平らな表面で使用されてきた。しかしながら、布及びペーパータオルには、衛生状態（使用者の手が、化学薬品、汚れ、又は掃除中の表面に触れることがある）、届く範囲（ボロ布又はペーパータオルを持った状態で、使用者の手を、届きにくい場所に入れることが困難であることがある）、及び不便さ（狭い間隔で配置された物の間を掃除する場合、典型的に、これらの物を移動させる必要がある）などの理由による問題がある。
【０００３】
ボロ布及びペーパータオルの使用に伴うこれらの問題を克服するために、Ｈａｙｄｅｎによる１９０６年発行の米国第８２３，７２５号に記載のフェルト及び毛を使用したデバイスや、第４，１４５，７８７号に記載の糸を使用したデバイスなどの、再利用可能な様々な集塵デバイスが、１世紀以上にわたって利用されてきた。再利用可能な集塵デバイスの問題に対処するため、限定的な再利用性を有する使い捨て掃除用品が開発されてきた。これらの使い捨て掃除用品は、第６，８１３，８０１号、第７，００３，８５６号、第７，５６６，６７１号、第７，７７９，５０２号、第７，９３７，７９７号、第８，１４６，１９７号、第８，１５１，４０２号、第８，１６１，５９４号、第８，１８６，００１号、第８，２４５，３４９号、第８，５２８，１５１号、第８，７５６，７４６、及び第８，７６３，１９７号に示されているように、シートに取り付けられた、トウ繊維と呼ばれる、合成繊維束で作製されたブラシ部分を含む場合がある。
【０００４】
第７，５６６，６７１号、同一出願人による第７，８０３，７２６号、及び同一出願人による米国第２００８／００２８５６０号に開示されているように、使い捨てダスターは、湿式清掃用に提供されてもよい。しかし、トウ繊維は濡れるとマット状になることがあるため、広い又はひどく濡れた表面（例えば、床）の掃除には向いていない。
【０００５】
広い及び／又はひどく濡れた表面に関する問題を克服するために、フロアシートが開発された。第７，１９１，４８６号及び第７，７２１，３８１号に開示されているように、フロアシートは、大量の吸収性セルロースを含んでもよく、第９，０３２，５７７号に開示されているように、少なくとも２つの内側シートを含んでもよい。同一出願人による第５，９６０，５０８号、第６，００３，１９１号、第６，０４８，１２３号、及び第６，７６６，５５２号に開示されているように、フロアシートは、液体を更に吸収及び保持し易くするためにＡＧＭを含んでもよい。更に他の試みによれば、第７，６９４，３７９号及び同一出願人による第７，４８０，９５６号に開示されているように、クリーニングパッドに疎水性及び親水性の両方を具備させている。別の試みにおいては、同一出願人による第７，０２８，３６４号に開示されているように、自由浮動カフを含んでいる。当技術分野における他の関連する試みとしては、米国第２００３／０３００９９１号、第２０１１／００４１２７４号、第６，２４５，４１３号、第６，６８１，４３４号、第６，７０１，５６７号、第７，４５８，１２８号、第７，６２４，４６８号、第８，３４１，７９７号、第８，７０７，５０５号、及び第８，８６３，３４７号が挙げられる。
【先行技術文献】
【特許文献】
【０００６】
【特許文献１】米国第８２３，７２５号
【特許文献２】第４，１４５，７８７号
【特許文献３】第６，８１３，８０１号
【特許文献４】第７，００３，８５６号
【特許文献５】第７，５６６，６７１号
【特許文献６】第７，７７９，５０２号
【特許文献７】第７，９３７，７９７号
【特許文献８】第８，１４６，１９７号
【特許文献９】第８，１５１，４０２号
【特許文献１０】第８，１６１，５９４号
【特許文献１１】第８，１８６，００１号
【特許文献１２】第８，２４５，３４９号
【特許文献１３】第８，５２８，１５１号
【特許文献１４】第８，７５６，７４６
【特許文献１５】第８，７６３，１９７号
【特許文献１６】第７，５６６，６７１号
【特許文献１７】第７，８０３，７２６号
【特許文献１８】米国第２００８／００２８５６０号
【特許文献１９】第７，１９１，４８６号
【特許文献２０】第７，７２１，３８１号
【特許文献２１】第９，０３２，５７７号
【特許文献２２】第５，９６０，５０８号
【特許文献２３】第６，００３，１９１号
【特許文献２４】第６，０４８，１２３号
【特許文献２５】第６，７６６，５５２号
【特許文献２６】第７，６９４，３７９号
【特許文献２７】第７，４８０，９５６号
【特許文献２８】第７，０２８，３６４号
【特許文献２９】米国第２００３／０３００９９１号
【特許文献３０】米国第２０１１／００４１２７４号
【特許文献３１】第６，２４５，４１３号
【特許文献３２】第６，６８１，４３４号
【特許文献３３】第６，７０１，５６７号
【特許文献３４】第７，４５８，１２８号
【特許文献３５】第７，６２４，４６８号
【特許文献３６】第８，３４１，７９７号
【特許文献３７】第８，７０７，５０５号
【特許文献３８】第８，８６３，３４７号
【発明の概要】
【発明が解決しようとする課題】
【０００７】
これらの試みは、濡れた標的表面、詳細には床からの液体の吸収を目的としているが、問題は依然として残っている。概ね平坦なフロアシートは、掃除作業の間中、同一の表面を提供する。飽和状態のフロアシートから、汚れが再付着する可能性がある。また、概ね平坦なフロアシートは、床の隙間又はグラウトラインを十分に清掃できない場合がある。
【０００８】
このため、濡れた表面に使用可能で、かつ、掃除作業中に動的に変化する面を提供する掃除用品が必要とされている。
【課題を解決するための手段】
【０００９】
本発明は、層状構造を有する掃除用品を含んでいる。この掃除用品は、シートと、ストリップを有し、かつ細長い結合部にてシートに接合された、親水性のギャザーストリップ要素とを含んでいる。ギャザーストリップ要素は、シートに近接している第１の層と、その外側に配置されている少なくとも１つの外側層とを含んでいる。これらの層は、それぞれ、共通の細長い結合部によってシートに接合されている。少なくとも１つの層はまた、上述の共通の結合部と同一でなく、かつその結合部から離間した二次結合部によってもシートに接合されており、少なくとも１つの層は、この二次結合部によってシートに接合されていない。
【図面の簡単な説明】
【００１０】
【図１】本発明の掃除用品の分解斜視図である。
【図２Ａ】図１の線２−２に沿った垂直断面の拡大図である。
【図２Ｂ】逆ピラミッド形ジオメトリーを有する、代替的な実施形態の掃除用品の垂直断面図である。
【図３】非直線形中央結合部ラインと逆ピラミッド形ジオメトリーとを有する、代替的な実施形態の破断した底面図であり、図には上部に正弦曲線状の結合部、下部にスポット状の結合部がある。
【図４Ａ】２つの中央結合部ラインを有する代替的な実施形態の底面図である。
【図４Ｂ】図４Ａの線４Ｂ−４Ｂに沿った垂直断面図である。
【図５Ａ】それぞれ、シート材を２つ有するギャザーストリップ要素の代替的な実施形態の垂直断面の拡大図である。
【図５Ｂ】それぞれ、シート材を２つ有するギャザーストリップ要素の代替的な実施形態の垂直断面の拡大図である。
【図５Ｃ】それぞれ、シート材を２つ有するギャザーストリップ要素の代替的な実施形態の垂直断面の拡大図である。
【図５Ｄ】それぞれ、シート材を２つ有するギャザーストリップ要素の代替的な実施形態の垂直断面の拡大図である。
【図５Ｅ】それぞれ、シート材を２つ有するギャザーストリップ要素の代替的な実施形態の垂直断面の拡大図である。
【図５Ｆ】それぞれ、シート材を２つ有するギャザーストリップ要素の代替的な実施形態の垂直断面の拡大図である。
【図５Ｇ】それぞれ、シート材を２つ有するギャザーストリップ要素の代替的な実施形態の垂直断面の拡大図である。
【図６】本発明と共に使用可能なハンドルの斜視図である。
【図７】本発明と共に使用可能な床掃除器具の斜視図である。
【図８】本発明のフロアシートと市販のフロアシートの性能をグラフで示したものである。
【発明を実施するための形態】
【００１１】
図１を参照すると、掃除用品１０は、概ね細長い長方形であり得るが、他の形状も企図されるし、実行可能である。掃除用品１０は、積層形態で接合された２つ以上の構成要素を含むことにより、床掃除に好適な掃除用品１０が提供されてもよい。この掃除用品は、シート１２を有してもよく、このシートは、他の構成要素をこのシートに取り付けるための枠組みを形成する。掃除用品１０はまた、ストリップ１７の複数の層２７を有するギャザーストリップ要素２５を有してもよく、これらのストリップは、積層され、外側に向かって延在し、柔軟性を有している。吸収性コアが、ギャザーストリップ要素２５とシート１２との間に配置されてもよい。
【００１２】
掃除用品１０は、使い捨ての場合がある。「使い捨て」とは、掃除用品１０が１回の掃除作業、或いは概して数平方メートル以下に対して使用され、その後、廃棄されることを意味している。対照的に、再利用可能な掃除用品１０は、使用後、洗濯されるか、他の方法で元の状態に戻される。
【００１３】
掃除用品１０は、掃除用品１０を形成する、積層状態で接合／折り重ねられた、少なくとも２つの、より好ましくは少なくとも３つ、４つ、又はそれ以上の薄層を有している。シート１２はまた、後述するように、床掃除器具への取り付け部を提供してもよい。特に規定のない限り、本明細書で使用される「接合」とは、２つの構成要素間における直接的かつ接触を伴う関係と、構成要素間に中間要素を有する関係とを含む。
【００１４】
掃除用品１０は、長手方向軸ＬＡと、それに直交する横軸ＴＡとを有し得る。掃除用品１０及びそれに対応する構成要素は、長手方向軸ＬＡに平行な２つの長手方向縁２０と、横方向軸ＴＡに平行な２つの横方向縁２２とを有し得る。
【００１５】
以下で説明するように、ストリップ１７は、有利には実質的に、或いは好ましくは完全に、シート１２の着地面積内に含まれてもよい。詳細には、ストリップ１７の遠位端は、シート１２の２つの長手方向縁２０及び２つの横方向縁２２によって画定される着地面積内に含まれてもよく、その着地面積によって境界が定められてもよい。この構成によれば、使用者が掃除器具を床に押し付けたときにストリップ１７に直接圧力が加わるため、使用中にストリップ１７の可動性を促進し、使用中に掃除用品１０の動的面領域を標的表面に対して提供すると考えられる。
【００１６】
掃除用品１０の長さは、長手方向に沿って測定される。掃除用品１０の幅は、長さ方向に対して直角であり、かつ、シート１２の面内の横方向に対応する。厚さは、Ｚ方向の寸法として定義される。ＸＹ面は、掃除用品１０によって画定される面によって定義される。掃除用品１０のＺ方向は、シート面に対して垂直な方向である。掃除用品１０は、２０〜５０ｃｍの長さ及び１０〜２０ｃｍの幅を有してもよい。詳細には、掃除用品は、後で説明するように、典型的な掃除器具７０のヘッドに適合するように、最大寸法で測定したとき、長さが３０＋／−２ｃｍであり、幅が１４＋／−２ｃｍであってもよい。任意のコアは、詳細には、幅が６．５＋／−２ｃｍであり、長さが２６＋／−２ｃｍであってもよい。当然のことながら、当業者であれば、本発明の範囲内において、他の形状が実現可能であることを理解するであろう。
【００１７】
掃除用品１０は、外側に向いた掃除面と、これに対向する取り付け面とを有してもよい。掃除用品１０の取り付け面は、器具のヘッドへの取り付けのための、１又は複数の取り付けストライプ３０を有してもよく、図示された例においては、２つの平行なストライプ３０を有している。ストライプ３０は、フックを有する掃除器具のヘッドに対する相補的取り付け部として好適なループ要素を含んでもよい。
【００１８】
掃除用品１０は、１つの薄層、或いは、向かい合わせの関係で接合されている２つ又は３つ以上の薄層を有すると考えもよい。薄層は、蛇行状に折り重ねられて、Ｚ方向に複数の薄層を提供してもよい。
【００１９】
より詳細には、掃除用品は、少なくとも１つのシート１２及び少なくとも１つのギャザーストリップ要素２５を有する構造を含んでもよい。シート１２及びギャザーストリップ要素２５は、向かい合わせの関係で、少なくとも１つの永久結合部によって接合されて、積層体を形成している。
【００２０】
シート１２は、ギャザーストリップ要素２５を取り付けるための枠として機能してもよい。本発明から逸脱しない限りにおいて、他の薄層及び特徴が、シート１２とギャザーストリップ要素２５との間に配置されてもよい。
【００２１】
詳細には、シート１２は、合成不織シート１２を含んでもよい。合成繊維を有するシート１２によると、ギャザーストリップ要素２５をシートに接合し易くなる。当技術分野で知られているように、不織布には、スパンボンド方式、カード方式、及びエアレイド方式の素材が含まれ、不織布は、合成繊維から作製されている。好適な不織シートは、同一出願人による第６，７９７，３５７号に従って作製されてもよい。
【００２２】
好ましくは、シート１２はセルロースを含み、それによって吸収力を提供する。当技術分野で知られているように、セルロースのシート１２には、永久的な湿潤強度を有する樹脂が加えられ、それを有しもよい。或いは、シート１２は、好ましくは、セルロース及び合成繊維の混合物を有してもよい。それによって、吸収性及びバリア性の両方が得られ、ギャザーストリップ要素２５を接合し易くする。「セルロースの」とは、構成要素において、大部分の重量パーセントを、セルロース系繊維が占めていることを意味する。
【００２３】
シート１２及び／又はギャザーストリップ要素２５は、親水性であってもよい。これにより、掃除対象である表面から水分を有利に吸収する。「親水性」とは、概して、構成要素が、使用中に水分を吸収し、かつ過剰な圧縮力をかけられることのない通常の使用中において、その水分を保持することを意味する。
【００２４】
詳細には、親水性と疎水性との特性の対比は、以下のように測定してもよい。材料の１グラムのサンプルを、約１１０℃にて１２時間オーブンで乾燥させ、その後、６５％の相対湿度／２１℃で５日間調湿する。その後、サンプルを、１１０℃で１２時間再び乾燥させる。得られた水分の量を、水分率（％）として測定する：
水分率＝［（相対湿度６５％における保管サンプルの総重量−乾燥後のサンプルの重量）÷乾燥させたサンプルの重量］×１００％。
【００２５】
本明細書で使用するとき、「親水性材料」は、６５％での水分率が約２％、３％、４％、５％より多く、好ましくは約６％より多い。以下の表１に、相対湿度６５％で平衡する水分率（％）についての、異なる種類の繊維間の比較を示す。
【００２６】
【表１】
2020000943.tif 000003
【００２７】
親水性材料は、本明細書に記載の発明に有用であり得るが、この材料は、使い捨て掃除用品１０に使用される場合であっても、強度が十分でない場合がある。このため、適切な材料の選択が重要である。
【００２８】
例えば、ギャザーストリップ１７が１００％セルロースであると、湿潤摩擦係数が高くなりすぎて、使用者が、特定の標的表面域内で掃除用品１０を移動させることが難しくなる場合がある。異なる材料を混合することにより、汚れを採取するための面領域を維持しつつ、湿潤摩擦係数を最適化することができる。また、長さが異なるギャザーストリップ１７を使用することにより、材料が同じでも、湿潤摩擦係数を過度に増加させることなく、掃除用面領域を増加させることができ、それによって、標的表面域内での移動が容易になる。
【００２９】
図２Ａ及び図２Ｂを参照すると、シート１２は、２層、３層、又はそれ以上の層の積層体を含んでもよい。詳細には、この積層体は、掃除器具に接触する、外側に向いた層１２Ａと、吸収用の中央層／コア１２Ｂと、ギャザーストリップ要素２５に接合する、内側に向いた層１２Ｃとの、３層を含んでもよい。
【００３０】
外側に向いた層１２Ａは、坪量が２０〜８０ｇｓｍの水流交絡スパンボンド不織布を含んでもよい。Ａｖｇｏｌ  Ｎｏｎｗｏｖｅｎｓ（Ｔｅｌ−Ａｖｉｖ、Ｉｓｒａｅｌ）の４５ｇｓｍの不織布が好適であることが分かっている。本明細書においては、不織布は、織りあわされていない、エアレイド及び／又はウェットレイド繊維の混合物を有する構成要素である。
【００３１】
中央層／コア１２Ｂは、貯水用リザーバーとして機能してもよく、ギャザーストリップ要素２５によって標的表面から回収した液体を吸収及び保持する。中央層／コア１２Ｂは、複合セルロース／合成エアレイドを含んでもよい。８５：１５のセルロースを含む１３５ｇｓｍのエアレイドとして、Ｓｕｏｍｉｎｅｎ（Ｈｅｌｓｉｎｋｉ、Ｆｉｎｌａｎｄ）から入手可能な複合繊維が、好適である。
【００３２】
当技術分野で知られているように、中央層／コア１２Ｂは、更に、吸収性ゲル材料（ＡＧＭ）を含んでもよい。ＡＧＭは、吸収された液体の保持力を高め、掃除用品１０の能力を高め得る。掃除用品１０は、発泡体を有しなくてもよく、これにより、コストを節約する。
【００３３】
内側に向いた層１２Ｃは、スパンレース、すなわち水流交絡などのプロセスを使用して合成不織布に結合された薄織物（tissue）として形成されたウェットレイド繊維の混合物を含んでもよい。内側に向いた層１２Ｃは、Ｓｕｏｍｉｎｅｎ（Ｈｅｌｓｉｎｋｉ、Ｆｉｎｌａｎｄ）によってＧｅｎｅｓｉｓ  ｔｉｓｓｕｅという名称で販売されている、２３ｇｓｍの薄織物（tissue）及び１７ｇｓｍのポリプロピレンスパンボンドの複合材料を含んでもよい。
【００３４】
所望により、専用のコア１２Ｂは、掃除用品１０に組み込まれていてもよい。専用のコア１２Ｂは、シート１２の層１２Ａ、１２Ｃのいずれかの間に配置されていてもよいし、或いは、シート１２の内側又は外側に方向付けられた面の上に配置されていてもよい。詳細には、コア１２Ｂは、中央層を含んでいる場合がある。コア１２Ｂ及び／又は追加的な／代替的な中央層は、外側に向いた層１２Ａ及び内側に向いた層１２Ｃよりも幅が狭くてもよい。コア１２Ｂ及び／又は中央層は、外側に向いた層１２Ａ及び内側に向いた層１２Ｃの半分の幅を有する場合があり、長手方向軸を中心として配置され得る。詳細には、コア１２Ｂ及び／又は中央層の幅は、取り付け材のストライプ３０間のスペースよりも小さい又は同等である。
【００３５】
コア１２Ｂ及び／又はシート１２及びギャザーストリップ要素２５の幅は、以下のように測定される。掃除用品１０を、平坦かつ水平な表面上に配置する。しわ及び一般的な平坦性に対するその他の乱れを取り除く。掃除用品を、指先によって緊張させて保持する。一般にＬ．Ｓ．Ｓｔａｒｒｅｔｔ  Ｃｏ．（Ａｔｈｏｌ、ＭＡ．）から入手可能な、鋼尺、ノギス、又は工具直角定規（Ｔｏｏｌｍａｋｅｒｓ’  Ｇｒａｄｅ  Ｓｑｕａｒｅ）を使用して、ギャザーストリップ１７及びコア１２Ｂの対向する端の間の幅を測定する。必要に応じて、外側に向いた層１２Ａ、１２Ｃ及び層２７を取り除いて、測定用に障害のないアクセスを提供してもよい。
【００３６】
コア１２Ｂの幅は、横方向軸に平行である横方向に沿って測定される。コア１２Ｂが可変幅を有する場合、最も狭い地点において幅が測定される。ギャザーストリップ要素２５の幅もまた、横方向に沿って測定される。ギャザーストリップ要素２５の幅は、長手方向軸を挟んで対向するように配置され、かつ、ＸＹ面にある、対向するギャザーストリップ１７の遠位端の間で測定される。ギャザーストリップ要素２５、詳細には、ギャザーストリップ１７の対向する端が、可変幅を有する場合、最も広い地点において幅が測定される。（長手方向軸を挟んで等分される）少なくとも４、６、８、１０、１２、又は１４ｃｍの幅の差異が、本明細書に記載の実施形態に好適であると考えられる。
【００３７】
対向するギャザーストリップ１７間の幅及びコア１２Ｂの幅の差異により、ギャザーストリップ要素２５から送られてくる液体を保持するための、コア１２Ｂ及び／又は中央層１２Ｂの安定性が促進されると考えられる。更に、このジオメトリーにより、吸収された液体がギャザーストリップ１７から排水されやすくなると考えられる。更に、このジオメトリーにより、ギャザーストリップ１７の移動を促進すると考えられるギャップが生じ、通常の使用時に使用者が掃除用品１０を動かすと、標的表面に対して異なる部分を提供する。
【００３８】
３つの層１２Ａ、１２Ｂ、及び１２Ｃは、シート１２の形成技術において知られているように、接着剤及び／又は熱結合を使用して互いに永久的に接合され得る。任意の取り付け用ストライプ３０のループ要素が、外側に向いた層１２Ａの外側に向いた面に接合されて、掃除用品１０をハンドル６０又は器具に取り外し可能に接合し得る。ストライプ３０は、連続的又は非連続的であってよい。
【００３９】
図３を参照すると、掃除用品１０は、ギャザーストリップ要素２５内に配置された親水性ギャザーストリップ１７を更に含んでいる場合がある。本明細書においては、ギャザーストリップ１７とは、近位端から対応する遠位端へと外側に向かって延在するカンチレバーストリップを指す。各ギャザーストリップ１７は、用品１０の長手方向中央線に、或いは、その中央線からずれた近位端を有し、（横方向に測定された）長さが対応する（長手方向に測定された）幅よりも大きく、縦横比が少なくとも１、任意に２〜２０、任意に５〜１５であってもよい。ギャザーストリップ１７は、結合部３８に近接している対応する近位端から、掃除用品の横方向縁に近接し得る対応する遠位端までの長さが、３〜１５ｃｍ、４〜１２ｃｍ、或いは詳細には５〜８ｃｍであってもよく、幅が、３〜２０ｃｍ、４〜１５ｃｍ、或いは詳細には６〜８ｃｍであってもよい。これらの詳細な寸法は、掃除器具を用いた床掃除に使用される場合に好適であることが分かっている。
【００４０】
製造によって意図されるように、ギャザーストリップはＸＹ面内にあるが、使用前の毛羽立て、及び／又は、標的表面に対して動かすことにより使用中に生じる変形によって、ＸＹ面外へと変形する場合がある。ギャザーストリップ１７は、本明細書に記載されているシート１２のうちの１つに組み込まれていてもよいし、分離されたシート１２の上に配置されていてもよい。ギャザーストリップ１７は、用品の幅方向に平行に延在していてもよいし、用品の幅方向に対して鋭角の関係に配置されていてもよい。図に示すように、ギャザーストリップ１７は、直線的であってもよく、曲がっていてもよく、蛇行していてもよく、任意の所望の形状を有していてもよい。
【００４１】
ギャザーストリップ要素２５は、内側に向いた層１２Ｃに関して上述したものと同じ材料を含んでいてもよく、詳細には親水性であってよく、より詳細にはセルロースであってよい。当技術分野で知られているように、ギャザーストリップ要素２５及び／又はシート１２は、代替的又は追加的に、マイクロファイバーを含んでいてもよい。
【００４２】
図２Ａ及び図２Ｂを再び参照すると、ギャザーストリップ要素２５は、自身の上に蛇行状に折り重ねられた１つ又は複数の層を含み得る。この構成により、少なくとも二重、三重、又はそれ以上の厚さとなる。層２７が、概ね横向きに方向付けられた別々のギャザーストリップに切り分けられると、二重の厚さ部分により、対応するストリップ１７の遠位端にてループが得られる。ループにより、Ｚ方向に重ねられたストリップ１７同士が離間し易くなるため、ループは有益であると考えられる。
【００４３】
折り重ね構成は、図に示すように、Ｃ折りによって得られる場合がある。当業者であれば、Ｃ折りをカスケードすることにより、当技術分野で知られているＺ折り、Ｗ折り、又は他の複数層折り（Ｃ折りを含む）を得ることができることを理解するだろう。
【００４４】
ギャザーストリップ要素２５は、所望の吸収力及び意図する標的表面のテクスチャに応じて、ギャザーストリップ１７の層２７として２〜２５層、５〜２０層、詳細には約１０層を含み得る。各縁、詳細には長手方向縁に配置されたギャザーストリップ１７は、遠位端におけるループと、ギャザーストリップ１７の遠位端における一重の厚さを有する自由端とを有利に含み得る。それによって、ギャザーストリップは、掃除中に差異的反応を示し、予測によると、掃除中により多くの塵に届いて保持する。
【００４５】
詳細には、ギャザーストリップの差異的反応により、通常の使用条件下において、掃除中に、標的表面に対して動的に変化する面領域が提供されると考えられる。表面積を変化させることにより、より多くの液体及びそれに関連する塵を、標的表面から取り除くことができる。
【００４６】
３つの別個のギャザーストリップ材を有する非限定的なギャザーストリップ要素２５が図示されている。シート１２の近くにある上部シートを自身の上で折り重ねることにより、４つのギャザーストリップ層２７が得られる。その下の２つのギャザーストリップ１７層２７を自身の上でＺ折りすることにより、それぞれ３つのギャザーストリップ層２７が得られる。
【００４７】
シート１２及びギャザーストリップ要素２５は、後述するように、複数の結合部３８によって接合され得る。結合部３８は、当技術分野で知られているように、熱、接着剤、又は超音波などによるものであってよい。
【００４８】
中央結合部３８は、掃除用品１０の全ての層２７／薄層を接合して、それによって、確実に一体構造として、使用中に個々の構成要素が失われることを防止し得る。中央結合部３８は、ギャザーストリップ要素２５の全ての層２７に共通であり、ギャザーストリップ要素２５の各層２７を、直接的に又は間接的にシート１２に接合してもよい。
【００４９】
２つの外側寄りの結合部３８を設けて、ギャザーストリップ要素２５の、シート１２に近接している層２７のみを接合してもよい。本明細書に記載の実施形態では、外側寄りの結合部３８は、中央において横方向に少なくとも約７ｃｍ離間され得る。これにより、外側寄りの結合部は、コア１２Ｂより外側寄りに離間され、かつ、このコアに重ならない。外側寄りの結合部３８又は中央結合部３８は、これらの結合部が、ギャザーストリップ要素２５の層２７の一部を、直接的に又は間接的にシート１２に接合させるだけである場合、二次結合部３８と考えられ得る。
【００５０】
典型的には、ギャザーストリップ要素２５の層２７の全てが、少なくとも１つの結合部３８によってシート１２に接合される。シート１２の最も近くにある層２７が、第１の層２７と考えられ得る。その後に続く層２７は、シート１２に相対的に近くにあると考えられ、順に第２の層２７、第３の層２７、第４の層２７と考えられ得る。シート１２から遠く離れており、床の最も近くにある、或いは床に接している層２７が、遠位層２７と考えられる。
【００５１】
結合部３８は、シート１２と長手方向に同一の広がりであってもよい、或いは、シートよりもわずかに短くてもよい。好ましくない実施形態では、外側寄りの結合部は、シート１２から遠く離れていて近接していないギャザーストリップ要素２５の部分のみを結合している場合がある。
【００５２】
本構造によると、標的表面上に提供されるギャザーストリップ１７は相対的により長く、その内側ではギャザーストリップはより短い。長さが異なるギャザーストリップを有することにより、ギャザーストリップ１７を互いに独立して動かすことができ、また、互いを分離することができ、その結果、洗浄効果が向上する。ギャザーストリップ１７間を分離すること、詳細には、ギャザーストリップ１７を重ね合わせた層として提供することは、掃除用品１０によって汚れを有効的にピックアップするためにも、その汚れを保持するためにも、掃除対象の表面に対して十分な面積を提供するという点で重要であると考えられる。このため、層２７は、１つ折り、複数折り、又は折り目無しで単純に重ね合わせることにより作成され得る。
【００５３】
図３を再び参照すると、ギャザーストリップ要素２５のシートへの接合は、正弦曲線状の結合部３８又はジグザグの結合部３８（これらは全て蛇行状結合部３８と総称される）或いは他の非直線形結合部３８によってなされる場合がある。この結合部３８パターンにより、相対的により長いギャザーストリップ１７及び相対的により短いギャザーストリップの両方が、個別に提供される。また、ギャザーストリップ１７は、それぞれ、長手方向軸と平行でない近位端を有する。このジオメトリーにより、掃除中にギャザーストリップの捻じれや乱れを促進すると考えられる近位端が提供される。
【００５４】
代替的には、同一出願人による欧州特許出願第１５１６２８９５．５号、Ｐ＆Ｇ事件番号１３７４２Ｆに開示されているように、中央結合部３８は、分離した結合部３８の配列を含んでいる場合がある。分離した結合部３８は、通常の使用中における標的表面に対するギャザーストリップ要素２５の動的変化の提供を促進することが予測として考えられる。
【００５５】
長さの異なるギャザーストリップ１７により、使用中に、異なるストリップ１７及び／又はその部分が、標的表面に対して提供されると考えられる。ギャザーストリップ１７の不規則な近位端により、使用中に、異なるストリップ１７又はその部分が、標的表面に対して提供されると考えられる。
【００５６】
概して、使用中に、異なるギャザーストリップ１７及び／又はギャザーストリップ１７の異なる部分を、標的表面に対して提供することにより、掃除用品１０の飽和状態の部分が標的表面に接触した状態のままにならないと考えられる。使用中にギャザーストリップ要素２５の異なる部分が提供されると、再付着が最小限となり、ギャザーストリップ要素２５の不飽和状態の部分を、標的表面に接触させて、標的表面から液体を吸収させて保持させることができる。標的表面に接触するギャザーストリップ要素２５の有効部分を動的に変化させることにより、改善された洗浄が生じると考えられる。意義深いことに、ギャザーストリップ要素２５の動的に変化する有効部分は、自動的に、かつ、通常の掃除の一部である通常の前後ストローク以外の使用者による介入無しに現れる。
【００５７】
好ましくは、掃除用品は、トウ繊維を有しない。濡れたときにマット状になりひと塊になる傾向のあるトウ繊維は、洗浄効果を低下させる。しかし、あまり好ましくない実施形態では、掃除用品は、１つ又は複数のトウ繊維薄膜を更に含んでいる場合がある。このトウ繊維薄層は、向かい合わせの関係でシート１２又はギャザーストリップ要素２５に接合させることができる。トウ繊維薄層は、掃除中に標的表面に直接接触させるのに好適であり、そのように配置される場合がある。代替的には、トウ繊維薄膜は、シート１２とギャザーストリップ要素２５との間に配置される場合がある。
【００５８】
トウ繊維は、合成物であり得る。本明細書で使用するとき、「束繊維」及び／又は「トウ」は、ポリエステル、ポリプロピレン、ポリエチレン、生体由来ポリマー（例えば、ポリ乳酸、バイオポリエチレン、バイオポリエステルなど）などの合成ポリマーを含む繊維を指す。トウ繊維はまた、セルロース、アセチルセルロース、亜麻、麻、黄麻、及びこれらの混合物などの天然物由来の繊維であり、個々の繊維は、束状に製造された比較的長いストランドである。束繊維は、区分可能な端部を有し、少なくとも約１ｃｍの長さである、任意の繊維として定義され得る。トウ繊維は、用品１０の横方向縁の間に、連続的かつ略横方向に延在し得る。
【００５９】
シート１２（複数可）、ギャザーストリップ要素２５、及び任意のトウ繊維層（複数可）が、複数の永久結合部３８によって接合され得る。結合部３８は、はみ出た又は離脱したトウ繊維がほどけることを、最小限に抑える又は防ぐことを意図している。このようなシート１２（複数可）、ギャザーストリップ要素２５、及び任意のトウ繊維層（複数可）は、典型的には、介在部材又は構成要素をその間に挟んで又は挟まずに、直接重ね合わせられている場合がある。
【００６０】
結合部３８（複数可）は、接着結合、熱結合、超音波結合などによって形成することができる。熱結合及び超音波結合においては、局所的な結合部３８部位に、エネルギー及び圧縮圧力が加えられる。合成シート１２及び合成トウ繊維は、そのような局所部位において溶融される。再凝固により、シート１２及びトウ繊維の局所的な材料が、そのような局所部位において共に再凝固され、結合部３８となる局所的な接合部が形成される。
【００６１】
所望により、シート１２は、外側に向いた液体不透過バリアによって被覆されていてもよい。このバリアにより、使用者の手や器具などが、吸収された液体に接触するのを防ぐ。好適なバリアには、当技術分野で知られているように、ＬＤＰＥフィルムが挙げられる。
【００６２】
図２Ｂを参照すると、ギャザーストリップ要素２５は、ギャザーストリップ要素２５の遠位縁に近づくほど減少する幅を有する、蛇行状に折り重ねられた部材を含んでもよい。このジオメトリーにより、使用時に逆ピラミッド形構造が提供される。ギャザーストリップ要素２５のこのような構造により、複数の幅を有するギャザーストリップ要素２５の複数の層２７を提供し得る。幅は、第１の層２７から遠位層２７に向かって減少してよく、また、第１の層２７から遠位層２７に向かって単調に幅が減少してもよい。逆ピラミッド形構造は、掃除中に、標的表面に対してより多くの縁を有利に提供することが予測として考えられる。
【００６３】
図４Ａ〜図４Ｂを参照すると、掃除用品には、ギャザーストリップ要素２５の全ての層２７をシート１２に接合する共通の結合部３８がない場合がある。その代わりに、第１の結合部３８が、１つ又は複数の近位層２７をシート１２に接合し得る。第２の接合部３８が、１つ又は複数の遠位層２７を近位層２７に接合し得る。このとき、この遠位層２７はシートに直接接合されない。この構成により、掃除用品１０が特にＺ方向に厚い場合に、層の全ての構成要素が接合部３８を介することを避けるという利点が提供されると言える。
【００６４】
任意選択的に、シート１２、ギャザーストリップ要素２５、及び／又は任意のトウ繊維の層のいずれかを、接着剤、ろう、ニュートン流体オイル若しくは非ニュートン流体オイル、又はそれらの組み合わせによって、完全に又は部分的にコーティングして、洗浄を改善すること、及び吸収された塵の保持性を増大し得る。所望により、任意選択的に、掃除用品１０を、洗浄溶液と共に、或いは、例えば外観又は殺菌のための表面処理などの他の目的のために使用可能な他の溶液と共に使用することができる。洗浄溶液を掃除用品１０に予め適用して、予め湿らせた掃除用品１０を作り出してもよい。或いは、洗浄溶液を別の容器に入れて、掃除用品１０及び／又は標的表面に投与してもよい。洗浄溶液は、大部分が水であり、少なくとも約０．５、２、５又は１０重量％の固体、或いは少なくとも約３０又は５０重量％の水性溶媒、非水性溶液、又はその混合物を含み得る。
【００６５】
図５Ａ〜図５Ｇを参照すると、種々の代替的なギャザーストリップ要素２５が示されている。各ギャザーストリップ要素２５はそれぞれ２つの層２５を有するものとして示されているが、当業者であれば、本発明はこのような構成に限定されないことを理解するであろう。ギャザーストリップ要素２５は、図示の結合部３８又はそれとは異なる結合部３８を有する、１つ、２つ、３つ、又はそれ以上の数の層２７を有し得る。また、当業者であれば、所望により、これらの実施形態の様々な組み合わせ及び混成体を組み合わせることにより、１つの掃除用品１０を得ることができることを理解するであろう。
【００６６】
図５Ａを参照すると、ギャザーストリップ要素２５はシート材を２つ含み、各シートは、開口したＣ折りを有してもよい。この構成により、一般的な前後の動きによる清掃に役立ち、概ね均等な厚さの掃除用品１０を提供する、概ね対称に対向するジオメトリーが有利に提供されることが予測として考えられる。
【００６７】
図５Ｂを参照すると、ギャザーストリップ要素２５はシート材を２つ含み、各シートは、より短い外脚を有するＺ折りを有してもよい。この構成により、概ね対称に対向するジオメトリーが有利に提供されることが予測として考えられる。掃除用品１０の各長手方向縁は、ループ状のギャザーストリップ１７及びギャザーストリップ１７の２つの自由端を提供する２つのＣ折りを有している。ギャザーストリップ１７の自由端及びループ端の両方と概ね一定の厚さとを提供するこの構成は、一般的な前後の動きによる清掃を手助けすることが予測として考えられる。
【００６８】
図５Ｃを参照すると、ギャザーストリップ要素２５はシート材を２つ含み、各シートは、互いに反対方向に方向付けられたＣ折りを有してよい。この構成により、概ね対称に対向するジオメトリーが有利に提供されることが予測として考えられる。掃除用品１０の各長手方向縁は、ループ状のギャザーストリップ１７及びギャザーストリップ１７の２つの自由端を提供するＣ折りを有している。ギャザーストリップ１７の自由端及びループ端の両方を提供するこの構成は、一般的な前後の動きによる清掃を手助けすることが予測として考えられる。
【００６９】
図５Ｄを参照すると、ギャザーストリップ要素２５は、それぞれが、同じ方向に方向付けられたＣ折りのシート材を２つ含んでいてもよい。この構成により、一方の長手方向縁にループ状のギャザーストリップ１７が、他方の長手方向縁にギャザーストリップ１７の自由端が、有利に提供されることが予測として考えられる。この構成により、様々な掃除作業に好適な、様々な種類のギャザーストリップ１７が提供される。
【００７０】
図５Ｅを参照すると、ギャザーストリップ要素２５はシート材を２つ含み、各シートは、より短い外側脚部を有するＺ折りを有し、かつＷ折りを提供するように配置されてもよい。この構成により、掃除用品１０の各長手方向縁に、２つの外側に向いたループ状のギャザーストリップが、有利に提供されることが予測として考えられる。
【００７１】
図５Ｆを参照すると、ギャザーストリップ要素２５は、相互に折り込まれたシート材を２つ含んでいてもよい。この構成により、概ね対称に対向するジオメトリーが有利に提供されることが予測として考えられる。掃除用品１０の各長手方向縁は、ループ状のギャザーストリップ１７を提供するＣ折り及びギャザーストリップ１７の１つの自由端を、厚みの増した中央領域と共に有している。厚みの増した中央領域を有することにより、使用中に、動いて床に対して異なる面領域を提供するギャザーストリップ１７が得られることが予測として考えられる。
【００７２】
図５Ｇを参照すると、ギャザーストリップ要素２５は、２つ以上の独立した蛇行状の層２７を含んでいてもよい。ギャザーストリップ要素２５は、それぞれ、専用の結合部３８によって、シート１２に接合され得る。このようなギャザーストリップ要素２５は、それぞれ、外側に延在するギャザーストリップ１７のバンクを２つ有し得る。この構成により、追加のギャザーストリップ１７が利用可能であり、内側に方向付けられたギャザーストリップ１７が使用中に絡み合い得るという利点が提供される。異なる機能を持つ異なるギャザーストリップ１７を有することにより、使用中に床に対して提供される動的な面領域の量が増加することが予測として考えられる。
【００７３】
当然のことながら、当業者であれば、上述した代替案の組み合わせ及び混成体が実行可能であり、本明細書において企図されることを理解するであろう。例えば、掃除用品１０は、更に２つの結合部３８のラインを有し得る。そのような結合部３８のラインのうち１つは直線であってもよいし、或いは、結合部３８のラインの全てが非直線であってもよい。結合部３８のラインが３つ使用されている場合、例えば、中央の結合部３８のラインが直線である一方で、結合部３８のラインは、対称的に対向及び蛇行していてもよい。或いは、１つのギャザーストリップ要素２５が、複数の結合部によってシートに接合されていてもよい。
【００７４】
図６を参照すると、掃除用品１０は、ハンドル６０に取り外し可能に取り付け可能であってもよい。詳細には、取り付けシステムにより、好適かつ任意選択的なハンドル６０に対して、掃除用品１０の取り外し可能な取り付けをもたらすことができる。掃除用品１０の取り付けシステム及び任意の相補的ハンドル６０の取り付けには、接着剤接合、粘着接合、スリーブなどを介した機械的係合を挙げることができる。ある１つの一般的な取り付けシステムは、ハンドル６０の歯（複数可）を挿入可能なスリーブを含む。好適なハンドル６０は、同一出願人による米国第８，５７８，５６４号及びＤ６７４，９４９Ｓに開示されている。
【００７５】
図７を参照すると、掃除用品１０は、器具７０に取り外し可能に取り付け可能であってもよい。詳細には、床掃除器具７０は、使用者が直立状態のままで床掃除できるようにすることができる。また、この床掃除器具は、洗浄溶液又は他の液体を床にスプレーするためにも提供され得る。典型的な床掃除器具７０は、使用者によって把持されるハンドル７２と、このハンドルに取り付けられた、好ましくは枢動可能にそれに取り付けられたヘッド７４とを有する。ヘッド７４は、床又は他の標的表面に接触して移動させる。掃除器具７０は、ヘッドの底部に取り外し可能に取り付けられ得る。好ましくは、ストリップ１７は、使用中のヘッド７４の着地面積によって境を接しており、それによって、掃除中のストリップ１７の動的移動が促進される。
【００７６】
掃除用品１０の器具７０への取り外し可能な取り付けは、接着剤、フック及びループシステム、並びにグリッパーを使用して実現することができる。グリッパー及び好適な掃除器具７０は、同一出願人による第６，４８４，３５６号に開示されている。好適なバキューム式器具７０が、第７，１３７，１６９号に開示されている。好適なスプレー式器具７０が、同一出願人による第５，８８８，００６号、第５，９８８，９２０号、第６，８４２，９３６号、第７，１８２，５３７号、第７，５３６，７４３号、第７，６７６，８７７号、及び第８，１８６，８９８号に開示されている。
【００７７】
掃除用品１０はまた、ハンドル６０や器具７０を使用せず、手動で使用することもできる。所望により、本明細書に記載した様々な掃除用品１０をパッケージ化し、キットとして販売してもよい。この構成は、使用者が、異なる作業に対して異なる掃除用品１０の選択肢を有するという利益を提供する。例えば、所望により、複数サイズの掃除用品１０を、１つのキットとしてまとめて販売することができる。この構成により、使用者は、急な作業に対して最も好適な、特定の掃除用品１０を選択することができる。
【００７８】
本発明の掃除用品１０は、現代の木材／積層材に対する満たされていないニーズに対応すると考えられる。特定の掃除用品１０は、１０層２７のストリップ１７を有するように構成される。各ストリップ１７の幅は、約７ｍｍである。１０層２７の全てが、中央結合部３８にて接合されている。シート１２に隣接している最も近い４つの層２７はまた、中央結合部３８より横方向外側寄りに配置された追加の結合部３８によっても接合されている。
【００７９】
上述した本発明の掃除用品１０及び２つの市販の対照サンプルに対してテストを行った。第１の対照サンプルは、現在の譲受人によって販売されているＷｅｔＪｅｔフロアシートであった。このサンプルは、ＡＧＭを含有していた。また、これは、一般的に使い捨てと考えられている。第２の対照サンプルは、Ｂｏｎａによって販売されているマイクロファイバーフロアシートであった。また、これは、一般的に、複数の掃除作業に再利用可能であると考えられている。これら２つのサンプルは、幅広い範囲の使い捨て及び再利用可能なフロアシートを表していると考えられる。
【００８０】
テストは、つや消しした黒色カード用紙上に配置された、厚さ６ｍｍの透明のポリカーボネート製プレキシガラス表面上で行われた。テスト対象の各サンプルについて、このサンプルの光沢度を、ＢＹＫ−Ｇａｒｄｎｅｒ光沢計を使用して測定した。
【００８１】
ＢＹＫ−Ｇａｒｄｎｅｒ（商標）の「Ｓｃｒｕｂ」Ａｂｒａｓｉｏｎ  Ｔｅｓｔｅｒというスクラブマシンを使用して、サンプル間を整合させた。最初の光沢度測定の後で、２ｍＬの一般的な洗浄溶液（ＳｗｉｆｆｅｒのブランドであるＷｅｔＪｅｔ液）を、テスト表面に概ね均一にスプレーして、表面を処理した。２００グラムの重りを各サンプル上に置いた。各サンプルを、前後に５０回動かした。その後、テスト表面を空気乾燥させた。表面の最終光沢度を調べて、それぞれの読み取り値を差し引いた。
【００８２】
このテストに汚れは用いられなかった。つまり、光沢度の変化は、各サンプルによって生じた表面損傷を表す。
【００８３】
各サンプルに対して、４回繰り返してテストした。繰り返しのテストは、それぞれ、テスト表面内の３つの異なる場所で行われ、光沢度への影響を測定した。結果を表２に示す。つまり、光沢度の変化に関する各エントリーは、１２個のデータポイントの平均を表している。各サンプルの相対表面積も測定した。
【００８４】
【表２】
2020000943.tif 000004
【００８５】
表２中のデータにより、Ｂｏｎａマイクロファイバーサンプルは、上述のようにテストしたとき、光沢度の著しい低下を不利益に引き起こすことが分かる。ＷｅｔＪｅｔサンプルによる光沢度の損失は、Ｂｏｎａマイクロファイバーサンプルと比べると少ない。光沢度の損失により、汚れのないテスト表面に対する通常の掃除によって、表面損傷が引き起こされ得ることが示されている。理論によって束縛されるものではないが、マイクロファイバーサンプルにおけるより大きな表面損傷は、ナイロンなどの比較的研磨性の材料を含んでいることによる可能性があると考えられる。
【００８６】
驚くべきことに、本発明のサンプルにおいては、光沢度の損失は最小限であり、差異はほぼ標準偏差内である。理論によって束縛されるものではないが、このマイクロファイバーサンプルにおけるより少ない表面損傷は、使用中に標的表面に対して動的な面領域を提供する可動ストリップ１７を有するという利点によるものであり得ると考えられる。
【００８７】
上記のテストが、Ｈｏｍｅ  Ｌｅｇｅｎｄ（Ｆｏｎｔａｎａ、ＣＡ）によって販売されている、ＲＮ  １０４５７７サントスマホガニー加工ハードウッドプランクラミネート木質フローリング０．７７平方メートルを使用して反復された。このフローリングに、水／アルコール溶液中に懸濁させた約２％のＵｌｔｒａ  Ｆｉｎｅ  Ｄｕｓｔ（ＰＴＩ  ｓｏｉｌｓによって販売されている粘土質土壌）を含有する汚れをスパイクした。約２ｍＬのこの溶液を、塗料ローラーを使用してテスト表面に塗布し、空気乾燥させた。２ｍＬの洗浄溶液により、この汚れを再度湿らせた。その後、各サンプルを、このフローリングの上で前後に２５回動かした。その結果得られた、サンプル間の光沢度の差異を、以下の表３に示す。
【００８８】
【表３】
2020000943.tif 000005
【００８９】
表３により、新品の床材上に粒子状汚れがあるという状況によるより厳しいテストであっても、本発明の掃除用品１０によれば、対照サンプルと比較すると、表面損傷の可能性が最小限であったことが分かる。
【００９０】
図８を参照すると、Ｂｏｎａフロアシート及び本発明のフロアシート１０のテストが、それぞれ、上述のＲＮ  １０４５７７サントスマホガニー加工ハードウッドプランクフローリング上で、１０サイクル行われた。フローリングを二等分し、各半分体をそれぞれ１つのサンプルに使用した。フローリングを洗浄し、初期光沢度を記録した。汚れ、油、及びイソプロピルアルコールの溶液を、フローリングに塗布し、空気乾燥させた。現在の譲受人によって販売されている、市販のＷｅｔＪｅｔ洗浄溶液を、テスト表面にスプレーした。
【００９１】
各サンプルのテストは、前後に８回、各方向につき約２．８平方メートルをカバーするように拭くことによって行い、これを１サイクルとした。各サイクルが終わる度に、テスト表面の膜状態、つまり、曇り度合いの出現と、ストリーキングとの両方を測定した。このプロセスは、１０サイクルが終了するまで、同一のサンプルに対して繰り返し行われた。
【００９２】
図８により、市販のＢｏｎａマイクロファイバーサンプルが、主観的な可視検出閾値を上回るストリーキング及び曇り度合いを示したことが分かる。概して、テスト全体を通して、両方の特性が好ましくない方向に増加した。対照的に、本発明の掃除用品１０は、全１０サイクルを通して、可視検出閾値（単位無し尺度において１）を大きく下回るストリーキング及び曇り度合いを有利に示した。
【００９３】
本明細書において開示されている寸法及び値は、記載されている正確な数値に厳密に限定されるものと理解されるべきではない。むしろ、別段の指定がない限り、このような寸法はそれぞれ、記載されている値及びその値の周辺の機能的に等価な範囲の両方を意味することが意図されている。例えば、「４０ｍｍ」として開示されている寸法は、「約４０ｍｍ」を意味するものとする。
【００９４】
あらゆる相互参照又は関連する特許又は出願を含む、本明細書に引用される全ての文献は、明確に除外ないしは別の形で限定されない限り、参照によりその全容を本明細書に援用するものとする。いかなる文献の引用も、本明細書中で開示又は特許請求される任意の発明に対する先行技術であるとはみなされず、或いはそれを単独で又は他の任意の参考文献（単数又は複数）と組み合わせたときに、そのような発明全てを教示、示唆、又は開示するとはみなされない。更に、本文書における用語の任意の意味又は定義が、参照により組み込まれた文書内の同じ用語の意味又は定義と競合する場合、本文書におけるその用語に与えられた意味又は定義が適用されるものとする。
【００９５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020000943.tif 000006
【図２Ａ】
2020000943.tif 000007
【図２Ｂ】
2020000943.tif 000008
【図３】
2020000943.tif 000009
【図４Ａ】
2020000943.tif 000010
【図４Ｂ】
2020000943.tif 000011
【図５Ａ】
2020000943.tif 000012
【図５Ｂ】
2020000943.tif 000013
【図５Ｃ】
2020000943.tif 000014
【図５Ｄ】
2020000943.tif 000015
【図５Ｅ】
2020000943.tif 000016
【図５Ｆ】
2020000943.tif 000017
【図５Ｇ】
2020000943.tif 000018
【図６】
2020000943.tif 000019
【図７】
2020000943.tif 000020
【図８】
2020000943.tif 000021
【外国語明細書】
2020000943000001.pdf